(57)【要約】【課題】無線通信システムにおける端末の通信方法及びその方法を利用する端末を提供する。【解決手段】前記方法は、スモールセルからセル状態信号を受信し、及び前記セル状態信号に基づいて前記スモールセルと通信し、前記セル状態信号は、前記スモールセルのオフ状態への切り替えを示す情報を含むことを特徴とする。他の側面で提供される端末は、無線信号を送信及び受信するＲＦ（ｒａｄｉｏ  ｆｒｅｑｕｅｎｃｙ）部及び前記ＲＦ部と連結されるプロセッサを含み、前記プロセッサは、スモールセルからセル状態信号を受信し、及び前記セル状態信号に基づいて前記スモールセルと通信し、前記セル状態信号は、前記スモールセルのオフ状態への切り替えを示す情報を含むことを特徴とする。【選択図】図９
2016508687.tif 000002
【特許請求の範囲】
【請求項１】
無線通信システムにおける端末の通信方法において、
スモールセルからセル状態信号を受信し、及び
前記セル状態信号に基づいて前記スモールセルと通信し、
前記セル状態信号は、前記スモールセルのオフ状態への切り替えを示す情報を含むことを特徴とする方法。
【請求項２】
前記セル状態信号が前記スモールセルのオフ状態への切り替えを示す場合、前記スモールセルに送信されるアップリンクチャネルに割り当てられた無線リソースを解除することを特徴とする請求項１に記載の方法。
【請求項３】
前記セル状態信号は、ＰＤＣＣＨ（ｐｈｙｓｉｃａｌ  ｄｏｗｎｌｉｎｋ  ｃｏｎｔｒｏｌ  ｃｈａｎｎｅｌ）を介して送信されるダウンリンク制御情報（ｄｏｗｎｌｉｎｋ  ｃｏｎｔｒｏｌ  ｉｎｆｏｒｍａｔｉｏｎ：ＤＣＩ）に含まれることを特徴とする請求項１に記載の方法。
【請求項４】
前記ＤＣＩは、前記スモールセルがオフ状態に切り替えられることを示すＲＮＴＩ（ｒａｄｉｏ  ｎｅｔｗｏｒｋ  ｔｅｍｐｏｒａｒｙ  ｉｄｅｎｔｉｆｉｅｒ）でマスキングされることを特徴とする請求項３に記載の方法。
【請求項５】
前記ＤＣＩは、共用検索空間で送信される他のＤＣＩと同じ長さを有することを特徴とする請求項４に記載の方法。
【請求項６】
前記ＤＣＩは、前記スモールセルがオフ状態に切り替えられることを示すＲＮＴＩ（ｒａｄｉｏ  ｎｅｔｗｏｒｋ  ｔｅｍｐｏｒａｒｙ  ｉｄｅｎｔｉｆｉｅｒ）のみで構成されることを特徴とする請求項３に記載の方法。
【請求項７】
前記ＤＣＩは、複数のフィールドを含み、前記フィールドの値が特定組合せを満たす場合、前記スモールセルがオフ状態に切り替えられることを指示することを特徴とする請求項３に記載の方法。
【請求項８】
前記セル状態信号は、前記スモールセルがオン状態からオフ状態に切り替えられる場合にのみ前記スモールセルにより送信されることを特徴とする請求項１に記載の方法。
【請求項９】
前記スモールセルに遅延要求信号を送信し、前記遅延要求信号は、前記スモールセルのオフ状態への切り替えを延期することを要求する信号であることを特徴とする請求項１に記載の方法。
【請求項１０】
前記セル状態信号をマクロセルに送信し、前記マクロセルは、前記スモールセルを制御するセルであることを特徴とする請求項１に記載の方法。
【請求項１１】
前記セル状態信号を受信した時点から特定時間が経過した後、前記セル状態信号に基づく動作を実行し、前記特定時間は、ＲＲＣ（ｒａｄｉｏ  ｒｅｓｏｕｒｃｅ  ｃｏｎｔｒｏｌ）メッセージにより設定されることを特徴とする請求項１に記載の方法。
【請求項１２】
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、スモールセルからセル状態信号を受信し、及び前記セル状態信号に基づいて前記スモールセルと通信し、前記セル状態信号は、前記スモールセルのオフ状態への切り替えを示す情報を含むことを特徴とする端末。
【発明の詳細な説明】
【技術分野】
【０００１】
本発明は、無線通信に関し、より詳しくは、複数のスモールセルが配置された無線通信システムにおける端末の通信方法及びその方法を利用する端末に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）リリース（Ｒｅｌｅａｓｅ）８に基づくＬＴＥ（ｌｏｎｇ  ｔｅｒｍ  ｅｖｏｌｕｔｉｏｎ）は、移動通信標準である。
【０００３】
現在、３ＧＰＰ  ＬＴＥの進化である３ＧＰＰ  ＬＴＥ−Ａ（ａｄｖａｎｃｅｄ）の標準化が進行している。３ＧＰＰ  ＬＴＥ−Ａに導入される技術としてキャリアアグリゲーション（ｃａｒｒｉｅｒ  ａｇｇｒｅｇａｔｉｏｎ）がある。
【０００４】
キャリアアグリゲーションは、複数のコンポーネントキャリア（ｃｏｍｐｏｎｅｎｔ  ｃａｒｒｉｅｒ）を使用する。コンポーネントキャリアは、中心周波数と帯域幅により定義される。一つのダウンリンクコンポーネントキャリア、またはアップリンクコンポーネントキャリアとダウンリンクコンポーネントキャリアの対（ｐａｉｒ）が一つのセルに対応される。複数のダウンリンクコンポーネントキャリアを利用してサービスの提供を受ける端末は、複数のサービングセルからサービスの提供を受けるということができる。従来、キャリアアグリゲーションは、同じサイトに位置した単一基地局が複数のセル、即ち、複数の周波数帯域を端末に割り当ててサポートすることを前提とした。
【０００５】
一方、次世代無線通信システムには互いに異なるサイトに存在する複数の基地局が単一端末に割り当てられてサポートされることができる。各基地局は、互いに異なるセル、即ち、互いに異なる周波数帯域を使用することができ、特定基地局が複数の他の基地局を制御する関係である。
【０００６】
このようなシステムでは、各基地局の状態がオンまたはオフ状態に動作できる。各基地局のオン／オフ状態を端末に効果的にシグナリングすることができる方法が必要であり、このようなシグナルを受信した端末がどのように動作するかを規定する必要がある。
【発明の概要】
【発明が解決しようとする課題】
【０００７】
本発明が解決しようとする技術的課題は、無線通信システムにおける端末の通信方法及びその方法を利用する端末を提供することである。
【課題を解決するための手段】
【０００８】
一側面において、無線通信システムにおける端末の通信方法を提供する。前記方法は、スモールセルからセル状態信号を受信し、及び前記セル状態信号に基づいて前記スモールセルと通信し、前記セル状態信号は、前記スモールセルのオフ状態への切り替えを示す情報を含むことを特徴とする。
【０００９】
他の側面で提供される端末は、無線信号を送信及び受信するＲＦ（ｒａｄｉｏ  ｆｒｅｑｕｅｎｃｙ）部及び前記ＲＦ部と連結されるプロセッサを含み、前記プロセッサは、スモールセルからセル状態信号を受信し、及び前記セル状態信号に基づいて前記スモールセルと通信し、前記セル状態信号は、前記スモールセルのオフ状態への切り替えを示す情報を含むことを特徴とする。
【発明の効果】
【００１０】
複数のスモールセルが配置された無線通信システムにおいて、スモールセルが動的にオン／オフ状態を変更しても効率的に通信を実行することができる。
【図面の簡単な説明】
【００１１】
【図１】ＦＤＤ無線フレームの構造を示す。
【図２】ＴＤＤ無線フレームの構造を示す。
【図３】一つのダウンリンクスロットに対するリソースグリッド（ｒｅｓｏｕｒｃｅ  ｇｒｉｄ）の一例を示す。
【図４】ダウンリンクサブフレーム（ＤＬサブフレーム）構造を示す。
【図５】ＰＤＣＣＨのモニタリングのための共用検索空間及び端末特定検索空間を示す例示図である。
【図６】アップリンクサブフレームの構造を示す。
【図７】単一搬送波システムとキャリアアグリゲーションシステムの比較例である。
【図８】互いに異なるサイトに存在するセルを含む無線通信システムの例を示す。
【図９】セル状態信号を受信した端末の動作例を示す。
【図１０】セル状態信号を受信した端末の他の動作例を示す。
【図１１】本発明の実施例が具現される無線機器を示すブロック図である。
【発明を実施するための形態】
【００１２】
端末（Ｕｓｅｒ  Ｅｑｕｉｐｍｅｎｔ、ＵＥ）は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。
【００１３】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１４】
基地局から端末への通信をダウンリンク（ｄｏｗｎｌｉｎｋ：ＤＬ）といい、端末から基地局への通信をアップリンク（ｕｐｌｉｎｋ：ＵＬ）という。基地局及び端末を含む無線通信システムは、ＴＤＤ（ｔｉｍｅ  ｄｉｖｉｓｉｏｎ  ｄｕｐｌｅｘ）システムまたはＦＤＤ（ｆｒｅｑｕｅｎｃｙ  ｄｉｖｉｓｉｏｎ  ｄｕｐｌｅｘ）システムである。ＴＤＤシステムは、同じ周波数帯域で互いに異なる時間を使用してアップリンク及びダウンリンク送受信を実行する無線通信システムである。ＦＤＤシステムは、互いに異なる周波数帯域を使用し、同時にアップリンク及びダウンリンク送受信が可能な無線通信システムである。無線通信システムは、無線フレームを使用して通信を実行することができる。
【００１５】
図１は、ＦＤＤ無線フレームの構造を示す。
【００１６】
ＦＤＤ無線フレーム（ｒａｄｉｏ  ｆｒａｍｅ）は、１０個のサブフレーム（ｓｕｂｆｒａｍｅ）を含み、一つのサブフレームは、２個の連続的なスロット（ｓｌｏｔ）を含む。無線フレーム内に含まれるスロットは、０〜１９のインデックスが付けられる。一つのサブフレームの送信にかかる時間をＴＴＩ（ｔｒａｎｓｍｉｓｓｉｏｎ  ｔｉｍｅ  ｉｎｔｅｒｖａｌ）といい、ＴＴＩは、最小スケジューリング単位（ｍｉｎｉｍｕｍ  ｓｃｈｅｄｕｌｉｎｇ  ｕｎｉｔ）である。例えば、一つのサブフレームの長さは１ｍｓであり、一つのスロットの長さは０．５ｍｓである。以下、ＦＤＤ無線フレームをＦＤＤフレームと略称する。
【００１７】
図２は、ＴＤＤ無線フレームの構造を示す。
【００１８】
図２を参照すると、ＴＤＤで使用するＴＤＤ無線フレームにはＤＬ（ｄｏｗｎｌｉｎｋ）サブフレームとＵＬ（Ｕｐｌｉｎｋ）サブフレームが共存する。表１は、無線フレームのＵＬ−ＤＬ設定（ＵＬ−ＤＬ  ｃｏｎｆｉｇｕｒａｔｉｏｎ）の一例を示す。
【００１９】
【表１】
2016508687.tif 000003
【００２０】
表１において、‘Ｄ’はＤＬサブフレームを示し、‘Ｕ’はＵＬサブフレームを示し、‘Ｓ’はスペシャルサブフレーム（ｓｐｅｃｉａｌ  ｓｕｂｆｒａｍｅ）を示す。基地局からＵＬ−ＤＬ設定を受信すると、端末は、無線フレームで各サブフレームがＤＬサブフレームであるか、またはＵＬサブフレームであるかを知ることができる。以下、ＵＬ−ＤＬ設定Ｎ（Ｎは、０〜６のうちいずれか一つ）は、前記表１を参照することができる。
【００２１】
ＴＤＤフレームで、インデックス＃１とインデックス＃６を有するサブフレームは、スペシャルサブフレームであり、スペシャルサブフレームは、ＤｗＰＴＳ（Ｄｏｗｎｌｉｎｋ  Ｐｉｌｏｔ  Ｔｉｍｅ  Ｓｌｏｔ：ＤｗＰＴＳ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セル探索、同期化またはチャネル推定に使われる。ＵｐＰＴＳは、基地局でのチャネル推定と端末のアップリンク送信同期を合わせるのに使われる。ＧＰは、アップリンクとダウンリンクとの間にダウンリンク信号の多重経路遅延によりアップリンクで発生する干渉を除去するための区間である。以下、ＴＤＤ無線フレームをＴＤＤフレームと略称する。
【００２２】
図３は、一つのダウンリンクスロットに対するリソースグリッド（ｒｅｓｏｕｒｃｅ  ｇｒｉｄ）の一例を示す。
【００２３】
図３を参照すると、ダウンリンクスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域でＮＲＢ個のリソースブロック（ＲＢ；Ｒｅｓｏｕｒｃｅ  Ｂｌｏｃｋ）を含むことができる。リソースブロックは、リソース割当単位であり、時間領域で一つのスロットを含み、周波数領域で複数の連続する副搬送波（ｓｕｂｃａｒｒｉｅｒ）を含む。ダウンリンクスロットに含まれるリソースブロックの数ＮＲＢは、セルで設定されるダウンリンク送信帯域幅（ｂａｎｄｗｉｄｔｈ）ＮＤＬに従属する。例えば、ＬＴＥシステムにおいて、ＮＲＢは、６〜１１０のうちいずれか一つである。アップリンクスロットの構造も前記ダウンリンクスロットの構造と同じである。
【００２４】
リソースグリッド上の各要素（ｅｌｅｍｅｎｔ）をリソース要素（ｒｅｓｏｕｒｃｅ  ｅｌｅｍｅｎｔ、ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００２５】
図３において、一つのリソースブロックは、時間領域で７ＯＦＤＭシンボルと、周波数領域で１２副搬送波とで構成されることで、７×１２リソース要素を含むと例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。スロット内のＯＦＤＭシンボルの個数は、ノーマルＣＰ（ｃｙｃｌｉｃ  ｐｒｅｆｉｘ）で７個であり、拡張ＣＰで６個である。また、一つのＯＦＤＭシンボルで、副搬送波の数は、１２８、２５６、５１２、１０２４、１５３６及び２０４８のうち一つを選定して使用することができる。
【００２６】
図４は、ダウンリンクサブフレーム（ＤＬサブフレーム）構造を示す。
【００２７】
図４を参照すると、ＤＬサブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個（場合によって、最大４個）のＯＦＤＭシンボルを含むが、制御領域に含まれるＯＦＤＭシンボルの個数は変わることができる。制御領域には、ＰＤＣＣＨ（ｐｈｙｓｉｃａｌ  ｄｏｗｎｌｉｎｋ  ｃｏｎｔｒｏｌ  ｃｈａｎｎｅｌ）及び他の制御チャネルが割り当てられ、データ領域には、ＰＤＳＣＨ（ｐｈｙｓｉｃａｌ  ｄｏｗｎｌｉｎｋ  ｓｈａｒｅｄ  ｃｈａｎｎｅｌ）が割り当てられる。
【００２８】
３ＧＰＰ  ＴＳ  ３６．２１１  Ｖ８．７．０に開示されているように、３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００２９】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。端末は、まず、ＰＣＦＩＣＨ上にＣＦＩを受信した後、ＰＤＣＣＨをモニタリングする。ＰＤＣＣＨと違って、ＰＣＦＩＣＨは、ブラインドデコーディング（ｂｌｉｎｄ  ｄｅｃｏｄｉｎｇ）を使用せずに、サブフレームの固定されたＰＣＦＩＣＨリソースを介して送信される。
【００３０】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を伝送する。即ち、端末により送信されるＰＵＳＣＨ上のＵＬ（ｕｐｌｉｎｋ）データに対するＡＣＫ／ＮＡＣＫ信号は、ＰＨＩＣＨ上に基地局により送信される。
【００３１】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、端末が基地局と通信するときに必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００３２】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。ＤＣＩは、多様なフォーマット（ｆｏｒｍａｔ）を有し、これに対しては後述する。
【００３３】
サブフレーム内の制御領域は、複数のＣＣＥ（ｃｏｎｔｒｏｌ  ｃｈａｎｎｅｌ  ｅｌｅｍｅｎｔ）を含む。ＣＣＥは、無線チャネルの状態による符号化率をＰＤＣＣＨに提供するために使われる論理的割当単位であり、複数のＲＥＧ（ｒｅｓｏｕｒｃｅ  ｅｌｅｍｅｎｔ  ｇｒｏｕｐ）に対応される。ＲＥＧは、複数のリソース要素（ｒｅｓｏｕｒｃｅ  ｅｌｅｍｅｎｔ）を含む。ＣＣＥの数とＣＣＥにより提供される符号化率の関係によって、ＰＤＣＣＨのフォーマット及び可能なＰＤＣＣＨのビット数が決定される。
【００３４】
一つのＲＥＧは、４個のＲＥを含み、一つのＣＣＥは、９個のＲＥＧを含む。一つのＰＤＣＣＨを構成するために｛１，２，４，８｝個のＣＣＥを使用することができ、｛１，２，４，８｝の各々の要素をＣＣＥアグリゲーションレベル（ａｇｇｒｅｇａｔｉｏｎ  ｌｅｖｅｌ）という。
【００３５】
ＰＤＤＣＨの送信に使われるＣＣＥの個数は、基地局がチャネル状態によって決定する。
【００３６】
図５は、ＰＤＣＣＨのモニタリングのための共用検索空間及び端末特定検索空間を示す例示図である。
【００３７】
３ＧＰＰ  ＬＴＥでは、ＰＤＣＣＨの検出のためにブラインドデコーディング（ｂｌｉｎｄ  ｄｅｃｏｄｉｎｇ）を使用する。ブラインドデコーディングは、受信されるＰＤＣＣＨ（これをＰＤＣＣＨ候補（ｃａｎｄｉｄａｔｅ）という）のＣＲＣ（ｃｙｃｌｉｃ  ｒｅｄｕｎｄａｎｃｙ  ｃｈｅｃｋ）に所望の識別子をデマスキング（ｄｅ−ｍａｓｋｉｎｇ）し、ＣＲＣエラーをチェックすることによって、該当ＰＤＣＣＨが自分の制御チャネルかどうかを確認する方式である。端末は、自分のＰＤＣＣＨが制御領域内でどの位置でどのようなＣＣＥアグリゲーションレベルやＤＣＩフォーマットを使用して送信されるかを知らない。
【００３８】
一つのサブフレーム内で複数のＰＤＣＣＨが送信されることができる。端末は、サブフレーム毎に複数のＰＤＣＣＨをモニタリングする。ここで、モニタリングとは、端末が各ＰＤＣＣＨフォーマットによってＰＤＣＣＨのデコーディングを試みることを意味する。
【００３９】
３ＧＰＰ  ＬＴＥでは、ブラインドデコーディングによる負担を減らすために、検索空間（ｓｅａｒｃｈ  ｓｐａｃｅ）を使用する。検索空間は、ＰＤＣＣＨのためのＣＣＥのモニタリングセット（ｍｏｎｉｔｏｒｉｎｇ  ｓｅｔ）を意味する。端末は、該当する検索空間内でＰＤＣＣＨをモニタリングする。
【００４０】
検索空間は、共用検索空間（ｃｏｍｍｏｎ  ｓｅａｒｃｈ  ｓｐａｃｅ：ＣＳＳ）と端末特定検索空間（ＵＥ−ｓｐｅｃｉｆｉｃ  ｓｅａｒｃｈ  ｓｐａｃｅ：ＵＳＳ）とに分けられる。共用検索空間は、共用制御情報を有するＰＤＣＣＨを検索する空間であり、ＣＣＥインデックス０〜１５の１６個ＣＣＥで構成され、｛４，８｝のＣＣＥアグリゲーションレベルを有するＰＤＣＣＨをサポートする。しかし、共用検索空間にも端末特定情報を伝送するＰＤＣＣＨ（ＤＣＩフォーマット０、１Ａ）が送信されることもできる。端末特定検索空間は、｛１，２，４，８｝のＣＣＥアグリゲーションレベルを有するＰＤＣＣＨをサポートする。
【００４１】
検索空間の開始点は、共用検索空間と端末特定検索空間が異なるように定義される。共用検索空間の開始点は、サブフレームに関係なく固定されているが、端末特定検索空間の開始点は、端末識別子（例えば、Ｃ−ＲＮＴＩ）、ＣＣＥアグリゲーションレベル及び／または無線フレーム内のスロット番号によって、サブフレーム毎に変わることができる。端末特定検索空間の開始点が共用検索空間内にある場合、端末特定検索空間と共用検索空間は重複する（ｏｖｅｒｌａｐ）。
【００４２】
以下、ＰＤＣＣＨ上に送信される既存のＤＣＩフォーマットに対して説明する。
【００４３】
ＤＣＩフォーマットは、下記に説明するフィールドを含み、各フィールドは、情報ビットａ０乃至ａＡ−１にマッピングされることができる。各フィールドは、各ＤＣＩフォーマットで説明する順序通りにマッピングされることができ、各フィールドは‘０’パディングビットを含むことができる。１番目のフィールドが最も低い次数の情報ビットａ０にマッピングされることができ、連続する他のフィールドが高い次数の情報ビットにマッピングされることができる。各フィールドで最も重要なビット（ｍｏｓｔ  ｓｉｇｎｉｆｉｃａｎｔ  ｂｉｔ、ＭＳＢ）は、該当フィールドの最も低い次数の情報ビットにマッピングされることができる。例えば、１番目のフィールドの最も重要なビットは、ａ０にマッピングされることができる。以下、既存の各ＤＣＩフォーマットが含むフィールドの集合を情報フィールドという。
【００４４】
１．ＤＣＩフォーマット０
【００４５】
ＤＣＩフォーマット０は、一つのアップリンクセルでのＰＵＳＣＨスケジューリングのために使われる。ＤＣＩフォーマット０を介して送信される情報（フィールド）は、下記の通りである。
【００４６】
１）搬送波指示子フィールド（ｃａｒｒｉｅｒ  ｉｎｄｉｃａｔｏｒ  ｆｉｅｌｄ：ＣＩＦ、以下、同一）。搬送波指示子フィールドは、０または３ビットで構成されることができる。２）ＤＣＩフォーマット０とＤＣＩフォーマット１Ａを区分するためのフラグ（０の場合、ＤＣＩフォーマット０を指示し、１の場合、ＤＣＩフォーマット１Ａを指示する）、３）周波数ホッピングフラグ（１ビット）、４）リソースブロック指定及びホッピングリソース割当、５）変調及びコーディングスキーム及びリダンダンシーバージョン（ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）（５ビット）、６）新しいデータ指示子（ｎｅｗ  ｄａｔａ  ｉｎｄｉｃａｔｏｒ）（１ビット）、７）スケジューリングされたＰＵＳＣＨに対するＴＰＣ命令（２ビット）、８）ＤＭ−ＲＳのための循環シフト及びＯＣＣ（ｏｒｔｈｏｇｏｎａｌ  ｃｏｖｅｒ  ｃｏｄｅ）インデックス（３ビット）、９）ＵＬインデックス（２ビット）、１０）ダウンリンク指定インデックス（ｄｏｗｎｌｉｎｋ  ａｓｓｉｇｎｍｅｎｔ  ｉｎｄｅｘ：ＤＡＩ）（ＴＤＤにのみ）、１１）ＣＳＩ要求、１２）ＳＲＳ（ｓｏｕｎｄｉｎｇ  ｒｅｆｅｒｅｎｃｅ  ｓｉｇｎａｌ）要求（このフィールドは、端末特定検索空間にマッピングされた、ＰＵＳＣＨをスケジューリングするＤＣＩフォーマットにのみ存在）、１３）リソース割当タイプ（ｒｅｓｏｕｒｃｅ  ａｌｌｏｃａｔｉｏｎ  ｔｙｐｅ）（このフィールドは、ダウンリンクに割り当てられたリソースブロックの個数がアップリンクに割り当てられたリソースブロックの個数以上である場合にのみ存在）などである。もし、ＤＣＩフォーマット０で情報ビットの個数がＤＣＩフォーマット１Ａのペイロードサイズより小さい場合は、ＤＣＩフォーマット１Ａとペイロードサイズが同じくなるように‘０’はパディングされる。
【００４７】
２．ＤＣＩフォーマット１
【００４８】
ＤＣＩフォーマット１は、一つのセルで一つのＰＤＳＣＨコードワードスケジューリングに使われる。ＤＣＩフォーマット１には、下記の情報が送信される。
【００４９】
１）搬送波指示子フィールド（０または３ビット）、２）リソース割当ヘッダ（リソース割当タイプ０／タイプ１を指示）−ダウンリンク帯域幅が１０ＰＲＢより小さい場合、リソース割当ヘッダは含まれず、リソース割当タイプ０と仮定される。３）リソースブロック指定、４）変調及びコーディングスキーム（５ビット）、５）ＨＡＲＱプロセスナンバー（ＦＤＤで３ビット、ＴＤＤで４ビット）、６）新しいデータ指示子（１ビット）、７）リダンダンシーバージョン（２ビット）、８）ＰＵＣＣＨのためのＴＰＣ命令（２ビット）、９）ダウンリンク指定インデックス（ＤＡＩ）（２ビット、ＴＤＤにのみ）、１０）ＨＡＲＱ−ＡＣＫリソースオフセット（２ビット）などである。ＤＣＩフォーマット１の情報ビットの個数がＤＣＩフォーマット０／１Ａと同じ場合、‘０’値を有する一つのビットがＤＣＩフォーマット１に追加される。ＤＣＩフォーマット１で情報ビットの個数が｛１２，１４，１６，２０，２４，２６，３２，４０，４４，５６｝のうちいずれか一つと同じ場合、一つ以上の‘０’値を有するビットをＤＣＩフォーマット１に追加して前記｛１２，１４，１６，２０，２４，２６，３２，４０，４４，５６｝及びＤＣＩフォーマット０／１Ａのペイロードサイズと異なるペイロードサイズを有するようにする。
【００５０】
３．ＤＣＩフォーマット１Ａ
【００５１】
ＤＣＩフォーマット１Ａは、一つのセルで一つのＰＤＳＣＨコードワードの簡単な（ｃｏｍｐａｃｔ）スケジューリングまたはＰＤＣＣＨ命令により誘発されたランダムアクセス過程に使われる。ＰＤＣＣＨ命令に対応されるＤＣＩは、ＰＤＣＣＨまたはＥＰＤＣＣＨ（ｅｎｈａｎｃｅｄ  ＰＤＣＣＨ）を介して伝達されることができる。
【００５２】
ＤＣＩフォーマット１Ａには次の情報が送信される。１）搬送波指示子フィールド（０または３ビット）、２）ＤＣＩフォーマット０とＤＣＩフォーマット１Ａを区分するためのフラグ（１ビット）、３）地域化／分散化ＶＲＢ（ｌｏｃａｌｉｚｅｄ／ｄｉｓｔｒｉｂｕｔｅｄ  ｖｉｒｔｕａｌ  ｒｅｓｏｕｒｃｅ  ｂｌｏｃｋ）指定フラグ（１ビット）、４）リソースブロック指定、５）プリアンブルインデックス（６ビット）、６）ＰＲＡＣＨマスク（ｐｈｙｓｉｃａｌ  ｒａｎｄｏｍ  ａｃｃｅｓｓ  ｃｈａｎｎｅｌ  ｍａｓｋ）インデックス（４ビット）、７）変調及びコーディングスキーム（５ビット）、８）ＨＡＲＱプロセスナンバー（３ビット）、９）新しいデータ指示子（１ビット）、１０）リダンダンシーバージョン（２ビット）、１１）ＰＵＣＣＨのためのＴＰＣ命令（２ビット）、１２）ダウンリンク指定インデックス（ＤＡＩ、２ビット）（ＴＤＤにのみ）、１３）ＳＲＳ要求（０または１ビット）、１４）ＨＡＲＱ−ＡＣＫリソースオフセット（２ビット）などである。ＤＣＩフォーマット１Ａの情報ビット個数がＤＣＩフォーマット０の情報ビット個数より少ない場合、‘０’値を有するビットを追加してＤＣＩフォーマット０のペイロードサイズと同じくする。ＤＣＩフォーマット１Ａで情報ビットの個数が｛１２，１４，１６，２０，２４，２６，３２，４０，４４，５６｝のうちいずれか一つと同じ場合、一つの‘０’値を有するビットをＤＣＩフォーマット１Ａに追加する。
【００５３】
４．ＤＣＩフォーマット１Ｂ
【００５４】
ＤＣＩフォーマット１Ｂは、プリコーディング情報を含んで一つのセルの一つのＰＤＳＣＨコードワードに対する簡単なスケジューリングに使われる。ＤＣＩフォーマット１Ｂには下記の情報が送信される。
【００５５】
１）搬送波指示子フィールド（０または３ビット）、２）地域化／分散化ＶＲＢ指定フラグ（１ビット）、３）リソースブロック指定、４）変調及びコーディングスキーム（５ビット）、５）ＨＡＲＱプロセスナンバー（３ビット）、６）新しいデータ指示子（１ビット）、７）リダンダンシーバージョン（２ビット）、８）ＰＵＣＣＨのためのＴＰＣ命令（２ビット）、９）ダウンリンク指定インデックス（ＤＡＩ、２ビット、ＴＤＤにのみ）、１０）プリコーディングのためのＴＰＭＩ（ｔｒａｎｓｍｉｔｔｅｄ  ｐｒｅｃｏｄｉｎｇ  ｍａｔｒｉｘ  ｉｎｄｉｃａｔｏｒ）情報、１１）プリコーディングのためのＰＭＩ確認（１ビット）などである。もし、ＤＣＩフォーマット１Ｂの情報ビットの個数が｛１２，１４，１６，２０，２４，２６，３２，４０，４４，５６｝のうちいずれか一つと同じ場合、一つの‘０’値を有するビットをＤＣＩフォーマット１Ｂに追加する。
【００５６】
５．ＤＣＩフォーマット１Ｃ
【００５７】
ＤＣＩフォーマット１Ｃは、一つのＰＤＳＣＨコードワードに対する非常に簡単なスケジューリング（ｖｅｒｙ  ｃｏｍｐａｃｔ  ｓｃｈｅｄｕｌｉｎｇ）及びＭＣＣＨ（Ｍｕｌｔｉｃａｓｔ  Ｃｏｎｔｒｏｌ  Ｃｈａｎｎｅｌ）変更通知に使われる。前者の場合、ＤＣＩフォーマット１Ｃには次の情報が送信される。１）ギャップ（ｇａｐ）値を示す指示子（１ビット）、２）リソースブロック指定、３）変調及びコーディングスキームなどである。後者の場合、ＤＣＩフォーマット１Ｃには次の情報が送信される。１）ＭＣＣＨ変更通知のための情報（８ビット）、２）予約された情報ビットなどである。
【００５８】
６．ＤＣＩフォーマット１Ｄ
【００５９】
ＤＣＩフォーマット１Ｄは、プリコーディング及び電力オフセット情報を含み、一つのセルの一つのＰＤＳＣＨコードワードに対する簡単なスケジューリングに使われる。
【００６０】
ＤＣＩフォーマット１Ｄには下記のような情報が送信される。
【００６１】
１）搬送波指示子フィールド（０または３ビット）、２）地域化／分散化ＶＲＢ指定フラグ（１ビット）、３）リソースブロック指定、４）変調及びコーディングスキーム（５ビット）、５）ＨＡＲＱプロセスナンバー（ＦＤＤで３ビット、ＴＤＤで４ビット）、６）新しいデータ指示子（１ビット）、７）リダンダンシーバージョン（２ビット）、８）ＰＵＣＣＨのためのＴＰＣ命令（２ビット）、９）ダウンリンク指定インデックス（ＤＡＩ、２ビット、ＴＤＤにのみ）、１０）プリコーディングのためのＴＰＭＩ情報、１１）ダウンリンク電力オフセット（１ビット）、１２）ＨＡＲＱ−ＡＣＫリソースオフセット（２ビット）などである。もし、ＤＣＩフォーマット１Ｄの情報ビットの個数が｛１２，１４，１６，２０，２４，２６，３２，４０，４４，５６｝のうちいずれか一つと同じ場合、一つの‘０’値を有するビットをＤＣＩフォーマット１Ｄに追加する。
【００６２】
７．ＤＣＩフォーマット２
【００６３】
ＤＣＩフォーマット２は、閉ループＭＩＭＯ動作のためのＰＤＳＣＨ指定のために使われる。ＤＣＩフォーマット２には下記のような情報が送信される。
【００６４】
１）搬送波指示子フィールド（０または３ビット）、２）リソース割当ヘッダ（１ビット）、３）リソースブロック指定、４）ＰＵＣＣＨのためのＴＰＣ命令（２ビット）、５）ダウンリンク指定インデックス（ＤＡＩ、２ビット、ＴＤＤにのみ）、６）ＨＡＲＱプロセスナンバー（ＦＤＤで３ビット、ＴＤＤで４ビット）、７）トランスポートブロックとコードワードスワップフラグ（ｔｒａｎｓｐｏｒｔ  ｂｌｏｃｋ  ｔｏ  ｃｏｄｅｗｏｒｄ  ｓｗａｐ  ｆｌａｇ）（１ビット）、８）変調及びコーディングスキーム（５ビット）、９）新しいデータ指示子（１ビット）、１０）リダンダンシーバージョン（２ビット）、１１）プリコーディング情報、１２）ＨＡＲＱ−ＡＣＫリソースオフセットなどである。前記８）乃至１０）は、各トランスポートブロックに対して与えられることができる。
【００６５】
８．ＤＣＩフォーマット２Ａ
【００６６】
ＤＣＩフォーマット２Ａは、開ループＭＩＭＯ動作のためのＰＤＳＣＨ指定のために使われる。ＤＣＩフォーマット２Ａには下記のような情報が送信される。
【００６７】
１）搬送波指示子フィールド（０または３ビット）、２）リソース割当ヘッダ（１ビット）、３）リソースブロック割当、４）ＰＵＣＣＨのためのＴＰＣ命令（２ビット）、５）ダウンリンク指定インデックス（ＤＡＩ、２ビット、ＴＤＤにのみ）、６）ＨＡＲＱプロセスナンバー（ＦＤＤで３ビット、ＴＤＤで４ビット）、７）トランスポートブロックとコードワードスワップフラグ（１ビット）、８）変調及びコーディングスキーム（５ビット）、９）新しいデータ指示子（１ビット）、１０）リダンダンシーバージョン（２ビット）、１１）プリコーディング情報、１２）ＨＡＲＱ−ＡＣＫリソースオフセットなどである。
【００６８】
９．ＤＣＩフォーマット２Ｂ
【００６９】
ＤＣＩフォーマット２Ｂには下記のような情報が送信される。
【００７０】
１）搬送波指示子フィールド（０または３ビット）、２）リソース割当ヘッダ（１ビット）、３）リソースブロック割当、４）ＰＵＣＣＨのためのＴＰＣ命令（２ビット）、５）ダウンリンク指定インデックス  （ＤＡＩ、２ビット、ＴＤＤにのみ）、６）ＨＡＲＱプロセスナンバー（ＦＤＤで３ビット、ＴＤＤで４ビット）、７）スクランブリングＩＤ（ｉｄｅｎｔｉｔｙ）（１ビット）、８）ＳＲＳ要求（０または１ビット）、９）変調及びコーディングスキーム（５ビット）、１０）新しいデータ指示子（１ビット）、１１）リダンダンシーバージョン（２ビット）、１２）ＨＡＲＱ−ＡＣＫリソースオフセットなどである。
【００７１】
１０．ＤＣＩフォーマット２Ｃ
【００７２】
ＤＣＩフォーマット２Ｃには下記のような情報が送信される。
【００７３】
１）搬送波指示子フィールド（０または３ビット）、２）リソース割当ヘッダ（１ビット）、３）リソースブロック割当、４）ＰＵＣＣＨのためのＴＰＣ命令（２ビット）、５）ダウンリンク指定インデックス  （ＤＡＩ、２ビット、ＴＤＤにのみ）、６）ＨＡＲＱプロセスナンバー（ＦＤＤで３ビット、ＴＤＤで４ビット）、７）アンテナポート、スクランブリングＩＤ及びレイヤの個数（３ビット）、８）ＳＲＳ要求（０または１ビット）、９）変調及びコーディングスキーム（５ビット）、１０）新しいデータ指示子（１ビット）、１１）リダンダンシーバージョン（２ビット）、１２）ＨＡＲＱ−ＡＣＫリソースオフセットなどである。
【００７４】
１１．ＤＣＩフォーマット２Ｄ
【００７５】
ＤＣＩフォーマット２Ｄには下記のような情報が送信される。
【００７６】
１）搬送波指示子フィールド（０または３ビット）、２）リソース割当ヘッダ（１ビット）、３）リソースブロック割当、４）ＰＵＣＣＨのためのＴＰＣ命令（２ビット）、５）ダウンリンク指定インデックス  （ＤＡＩ、２ビット、ＴＤＤにのみ）、６）ＨＡＲＱプロセスナンバー（ＦＤＤで３ビット、ＴＤＤで４ビット）、７）アンテナポート、スクランブリングＩＤ及びレイヤの個数（３ビット）、８）ＳＲＳ要求（０または１ビット）、９）変調及びコーディングスキーム（５ビット）、１０）新しいデータ指示子（１ビット）、１１）リダンダンシーバージョン（２ビット）、１２）ＰＤＳＣＨリソース要素マッピング及び準−共同−位置指示子（ｑｕａｓｉ−ｃｏ−ｌｏｃａｔｉｏｎ  ｉｎｄｉｃａｔｏｒ）、１３）ＨＡＲＱ−ＡＣＫリソースオフセットなどである。
【００７７】
１２．ＤＣＩフォーマット３
【００７８】
ＤＣＩフォーマット３は、２ビットの電力調整を介して、ＰＵＣＣＨ及びＰＵＳＣＨに対するＴＰＣ命令を送信するために使われる。ＤＣＩフォーマット３にはＮ個のＴＰＣ（ｔｒａｎｓｍｉｔ  ｐｏｗｅｒ  ｃｏｎｔｒｏｌ）命令が送信されることができる。
【００７９】
１３．ＤＣＩフォーマット３Ａ
【００８０】
ＤＣＩフォーマット３Ａは、１ビットの電力調整を介して、ＰＵＣＣＨ及びＰＵＳＣＨに対するＴＰＣ命令を送信するために使われる。ＤＣＩフォーマット３ＡにはＭ個のＴＰＣ命令が送信されることができる。
【００８１】
１４．ＤＣＩフォーマット４
【００８２】
ＤＣＩフォーマット４は、多重アンテナポート送信モードを有する一つのＵＬセルでＰＵＳＣＨのスケジューリングのために使われる。
【００８３】
１）搬送波指示子フィールド（０または３ビット）、２）リソースブロック割当、３）ＰＵＳＣＨのためのＴＰＣ命令（２ビット）、４）ＤＭ  ＲＳのための循環シフト及びＯＣＣインデックス（３ビット）、５）ＵＬインデックス（２ビット）、６）ダウンリンク指定インデックス  （ＤＡＩ、２ビット、ＴＤＤにのみ）、７）ＣＳＩ要求（１または２ビット）、８）ＳＲＳ要求（２ビット）、９）リソース割当タイプ（１ビット）、１０）変調及びコーディングスキーム及びリダンダンシーバージョン（５ビット）、１１）新しいデータ指示子（１ビット）、１２）プリコーディング情報及びレイヤの個数などである。
【００８４】
図６は、アップリンクサブフレームの構造を示す。
【００８５】
図６を参照すると、アップリンクサブフレームは、周波数領域で、アップリンク制御情報を伝送するＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域（ｃｏｎｔｒｏｌ  ｒｅｇｉｏｎ）と、ユーザデータを伝送するＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域（ｄａｔａ  ｒｅｇｉｏｎ）と、に分けられる。
【００８６】
ＰＵＣＣＨは、サブフレームでＲＢ対（ｐａｉｒ）で割り当てられる。ＲＢ対に属するＲＢは、第１のスロットと第２のスロットの各々で互いに異なる副搬送波を占める。ＲＢ対は、同じリソースブロックインデックスｍを有する。
【００８７】
３ＧＰＰ  ＴＳ  ３６．２１１  Ｖ８．７．０によると、ＰＵＣＣＨは、多重フォーマットをサポートする。ＰＵＣＣＨフォーマットに従属した変調方式（ｍｏｄｕｌａｔｉｏｎ  ｓｃｈｅｍｅ）によってサブフレーム当たり送信されるビットの数は変わることができる。
【００８８】
以下の表２は、ＰＵＣＣＨフォーマットによる変調方式（Ｍｏｄｕｌａｔｉｏｎ  Ｓｃｈｅｍｅ）及びサブフレーム当たりビット数の例を示す。
【００８９】
【表２】
2016508687.tif 000004
【００９０】
ＰＵＣＣＨフォーマット１はＳＲ（Ｓｃｈｅｄｕｌｉｎｇ  Ｒｅｑｕｅｓｔ）の送信に使われ、ＰＵＣＣＨフォーマット１ａ／１ｂはＨＡＲＱのためのＡＣＫ／ＮＡＣＫ信号の送信に使われ、ＰＵＣＣＨフォーマット２はＣＱＩの送信に使われ、ＰＵＣＣＨフォーマット２ａ／２ｂはＣＱＩ及びＡＣＫ／ＮＡＣＫ信号の同時（ｓｉｍｕｌｔａｎｅｏｕｓ）送信に使われる。サブフレームで、ＡＣＫ／ＮＡＣＫ信号のみを送信する時、ＰＵＣＣＨフォーマット１ａ／１ｂが使われ、ＳＲが単独に送信される時、ＰＵＣＣＨフォーマット１が使われる。ＳＲとＡＣＫ／ＮＡＣＫを同時に送信する時は、ＰＵＣＣＨフォーマット１が使われ、ＳＲに割り当てられたリソースにＡＣＫ／ＮＡＣＫ信号を変調して送信する。
【００９１】
前述したＰＵＣＣＨフォーマット以外にＰＵＣＣＨフォーマット３がある。
【００９２】
ＰＵＣＣＨフォーマット３は、ブロックスプレッディング（ｂｌｏｃｋ  ｓｐｒｅａｄｉｎｇ）技法を使用するＰＵＣＣＨフォーマットである。ブロックスプレッディング技法は、ブロックスプレッディングコードを利用してマルチビットＡＣＫ／ＮＡＣＫを変調したシンボルシーケンスを時間領域で拡散する方法を意味する。
【００９３】
ＰＵＣＣＨフォーマット３では、シンボルシーケンス（例えば、ＡＣＫ／ＮＡＣＫシンボルシーケンス）がブロックスプレッディングコードにより時間領域で拡散されて送信される。ブロックスプレッディングコードとして、直交カバーコード（ｏｒｔｈｏｇｏｎａｌ  ｃｏｖｅｒ  ｃｏｄｅ：ＯＣＣ）が使われることができる。ブロックスプレッディングコードにより複数の端末の制御信号が多重化されることができる。ＰＵＣＣＨフォーマット２では、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスの循環シフトを利用して端末多重化を実行し、それに対し、ＰＵＣＣＨフォーマット３では、一つ以上のシンボルで構成されるシンボルシーケンスが各データシンボルの周波数領域にわたって送信され、ブロックスプレッディングコードにより時間領域で拡散されて端末多重化を実行するという点が異なる。
【００９４】
以下、キャリアアグリゲーション（ｃａｒｒｉｅｒ  ａｇｇｒｅｇａｔｉｏｎ）システムに対して説明する。キャリアアグリゲーションシステムは、多重搬送波（ｍｕｌｔｉｐｌｅ  ｃａｒｒｉｅｒ）システムともいう。
【００９５】
３ＧＰＰ  ＬＴＥシステムは、ダウンリンク帯域幅とアップリンク帯域幅が異なるように設定される場合をサポートするが、これは一つのコンポーネントキャリア（ｃｏｍｐｏｎｅｎｔ  ｃａｒｒｉｅｒ、ＣＣ）を前提とする。３ＧＰＰ  ＬＴＥシステムは、最大２０ＭＨｚをサポートし、アップリンク帯域幅とダウンリンク帯域幅が異なる場合も、アップリンクとダウンリンクの各々に一つのＣＣのみをサポートする。
【００９６】
キャリアアグリゲーション（ｃａｒｒｉｅｒ  ａｇｇｒｅｇａｔｉｏｎ）（または、帯域幅アグリゲーション（ｂａｎｄｗｉｄｔｈ  ａｇｇｒｅｇａｔｉｏｎ）、スペクトラムアグリゲーション（ｓｐｅｃｔｒｕｍ  ａｇｇｒｅｇａｔｉｏｎ）ともいう）は、複数のＣＣをサポートする。例えば、２０ＭＨｚ帯域幅を有する搬送波単位のグラニュラリティ（ｇｒａｎｕｌａｒｉｔｙ）として５個のＣＣが割り当てられる場合、最大１００Ｍｈｚの帯域幅をサポートすることができる。
【００９７】
図７は、単一搬送波システムとキャリアアグリゲーションシステムの比較例である。
【００９８】
キャリアアグリゲーションシステム（図７（ｂ））は、ＤＬ  ＣＣとＵＬ  ＣＣが各々３個ずつあるが、ＤＬ  ＣＣとＵＬ  ＣＣの個数に制限があるものてはない。各ＤＬ  ＣＣでＰＤＣＣＨとＰＤＳＣＨが独立的に送信され、各ＵＬ  ＣＣでＰＵＣＣＨとＰＵＳＣＨが独立的に送信されることができる。または、ＰＵＣＣＨは、特定ＵＬ  ＣＣを介してのみ送信されることもできる。
【００９９】
ＤＬ  ＣＣ−ＵＬ  ＣＣの対が３個定義されるため、端末は、３個のセルからサービスの提供を受けるということができる。以下、端末にサービスを提供するように設定されたセルをサービングセルという。
【０１００】
端末は、複数のＤＬ  ＣＣでＰＤＣＣＨをモニタリングし、複数のＤＬ  ＣＣを介して同時にＤＬトランスポートブロックを受信することができる。端末は、複数のＵＬ  ＣＣを介して同時に複数のＵＬトランスポートブロックを送信することができる。
【０１０１】
ＤＬ  ＣＣ  ＃Ａ（ＤＬコンポーネントキャリアＡ）とＵＬ  ＣＣ  ＃Ａ（ＵＬコンポーネントキャリアＡ）の対が第１のサービングセルになり、ＤＬ  ＣＣ  ＃ＢとＵＬ  ＣＣ  ＃Ｂの対が第２のサービングセルになり、ＤＬ  ＣＣ  ＃ＣとＵＬ  ＣＣ  ＃Ｃが第３のサービングセルになることができる。各サービングセルは、セルインデックス（Ｃｅｌｌ  ｉｎｄｅｘ、ＣＩ）を介して識別されることができる。ＣＩは、セル内で固有または端末−特定的である。
【０１０２】
サービングセルは、プライマリセル（ｐｒｉｍａｒｙ  ｃｅｌｌ）とセカンダリセル（ｓｅｃｏｎｄａｒｙ  ｃｅｌｌ）に区分されることができる。プライマリセルは、端末が初期接続確立過程を実行し、または接続再確立過程を開始し、またはハンドオーバ過程でプライマリセルに指定されたセルである。プライマリセルは、基準セル（ｒｅｆｅｒｅｎｃｅ  ｃｅｌｌ）ともいう。セカンダリセルは、ＲＲＣ接続が確立された後に設定されることができ、追加的な無線リソースの提供に使われることができる。常に少なくとも一つのプライマリセルが設定され、セカンダリセルは上位階層シグナリング（例、ＲＲＣメッセージ）により追加／修正／解除されることができる。プライマリセルのＣＩは、固定されることができる。例えば、最も低いＣＩがプライマリセルのＣＩに指定されることができる。
【０１０３】
プライマリセルは、コンポーネントキャリア側面で、ＤＬ  ＰＣＣ（ｄｏｗｎｌｉｎｋ  ｐｒｉｍａｒｙ  ｃｏｍｐｏｎｅｎｔ  ｃａｒｒｉｅｒ）とＵＬ  ＰＣＣ（ｕｐｌｉｎｋ  ｐｒｉｍａｒｙ  ｃｏｍｐｏｎｅｎｔ  ｃａｒｒｉｅｒ）で構成される。セカンダリセルは、コンポーネントキャリア側面で、ＤＬ  ＳＣＣ（ｄｏｗｎｌｉｎｋ  ｓｅｃｏｎｄａｒｙ  ｃｏｍｐｏｎｅｎｔ  ｃａｒｒｉｅｒ）のみで構成され、またはＤＬ  ＳＣＣ及びＵＬ  ＳＣＣ（ｕｐｌｉｎｋ  ｓｅｃｏｎｄａｒｙ  ｃｏｍｐｏｎｅｎｔ  ｃａｒｒｉｅｒ）の対で構成されることができる。以下、セルという用語とＣＣ（ｃｏｍｐｏｎｅｎｔ  ｃａｒｒｉｅｒ）という用語を混用することができる。
【０１０４】
前述したように、キャリアアグリゲーションシステムでは単一搬送波システムと違って複数のコンポーネントキャリア（ｃｏｍｐｏｎｅｎｔ  ｃａｒｒｉｅｒ、ＣＣ）、即ち、複数のサービングセルをサポートすることができる。
【０１０５】
このようなキャリアアグリゲーションシステムは、交差搬送波スケジューリング（ｃｒｏｓｓ−ｃａｒｒｉｅｒ  ｓｃｈｅｄｕｌｉｎｇ：ＣＣＳ）をサポートすることができる。交差搬送波スケジューリングは、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるＤＬ  ＣＣを介して送信されることができ、ＵＬグラントを含むＰＤＣＣＨが送信されたＤＬ  ＣＣとリンクされたＵＬ  ＣＣではない他のＵＬ  ＣＣを介してＰＵＳＣＨが送信されることができる。このように交差搬送波スケジューリングをサポートするシステムでは、ＰＤＣＣＨが制御情報を提供するＰＤＳＣＨ／ＰＵＳＣＨがどのＤＬ  ＣＣ／ＵＬ  ＣＣを介して送信されるかを知らせる搬送波指示子が必要である。以下、このような搬送波指示子を含むフィールドを搬送波指示フィールド（ｃａｒｒｉｅｒ  ｉｎｄｉｃａｔｉｏｎ  ｆｉｅｌｄ、ＣＩＦ）という。
【０１０６】
交差搬送波スケジューリングをサポートするキャリアアグリゲーションシステムは、従来のＤＣＩ（ｄｏｗｎｌｉｎｋ  ｃｏｎｔｒｏｌ  ｉｎｆｏｒｍａｔｉｏｎ）フォーマットに搬送波指示フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【０１０７】
基地局は、ＰＤＣＣＨモニタリングＤＬ  ＣＣ（モニタリングＣＣ）集合を設定することができる。ＰＤＣＣＨモニタリングＤＬ  ＣＣ集合は、アグリゲーションされた全体ＤＬ  ＣＣのうち一部ＤＬ  ＣＣで構成され、交差搬送波スケジューリングが設定されると、端末は、ＰＤＣＣＨモニタリングＤＬ  ＣＣ集合に含まれているＤＬ  ＣＣに対してのみＰＤＣＣＨモニタリング／デコーディングを実行する。即ち、基地局は、ＰＤＣＣＨモニタリングＤＬ  ＣＣ集合に含まれているＤＬ  ＣＣを介してのみ、スケジューリングしようとするＰＤＳＣＨ／ＰＵＳＣＨに対するＰＤＣＣＨを送信する。ＰＤＣＣＨモニタリングＤＬ  ＣＣ集合は、端末特定的、端末グループ特定的、またはセル特定的に設定されることができる。
【０１０８】
非交差搬送波スケジューリング（ｎｏｎ−ｃｒｏｓｓ  ｃａｒｒｉｅｒ  ｓｃｈｅｄｕｌｉｎｇ：ＮＣＣＳ）は、特定コンポーネントキャリアを介して送信されるＰＤＣＣＨを介して前記特定コンポーネントキャリアを介して送信されるＰＤＳＣＨのリソース割当及び／または前記特定コンポーネントキャリアと基本的にリンクされているコンポーネントキャリアを介して送信されるＰＵＳＣＨのリソース割当をすることができるスケジューリング方法である。
【０１０９】
以下、本発明に対して説明する。
【０１１０】
次世代無線通信システムでは、多様なサービス及びシステム構成が要求されることができる。例えば、ＭＴＣ（ｍａｃｈｉｎｅ  ｔｙｐｅ  ｃｏｍｍｕｎｉｃａｔｉｏｎ）端末のように周期的なデータ通信を主にする端末をサポートするためのサービス、ＭＵ−ＭＩＭＯ（ｍｕｌｔｉ−ｕｓｅｒ  ｍｕｌｔｉ  ｉｎｐｕｔ  ｍｕｌｔｉ  ｏｕｔｐｕｔ）をサポートするためのサービスが要求されることができる。また、既存と異なる形態のセルアグリゲーションが要求されることができる。即ち、互いに異なるＵＬ−ＤＬ設定を使用するセル間のアグリゲーション、既存チャネル構造を適用した搬送波を使用するセルとＮＣＴ（ｎｅｗ  ｃａｒｒｉｅｒ  ｔｙｐｅ）のように既存チャネル構造とは異なるチャネル構造を使用する搬送波を使用するセルとのアグリゲーション、ＴＤＤフレームを使用するセルとＦＤＤフレームを使用するセルのように互いに異なるフレーム構造を使用するセルとの間のアグリゲーションなどが要求されることができる。
【０１１１】
また、次世代無線通信システムでは、同じサイト（ｓｉｔｅ）に存在するセル間のアグリゲーションだけでなく、互いに異なるサイトに存在するセル間のアグリゲーションも考慮されている。
【０１１２】
即ち、従来のセルアグリゲーションは、同じサイトに存在する一つの基地局が互いに異なる周波数帯域で構成された複数のセルをアグリゲーションして使用した。しかし、将来の無線通信システムでは、互いに異なるサイトに存在する複数の基地局が提供するセルをアグリゲーションして使用することができる。
【０１１３】
図８は、互いに異なるサイトに存在するセルを含む無線通信システムの例を示す。
【０１１４】
図８を参照すると、無線通信システムは、マクロセルと複数のスモールセルを含むことができる。
【０１１５】
ここで、マクロセルは、静的（ｓｔａｔｉｃ）にオン（ｏｎ）状態を維持するセルである。それに対し、スモールセルは、動的にまたは半静的にオン状態やオフ（ｏｆｆ）状態に状態を変化させることができるセルを意味する。スモールセルは、限定された電力のみを使用し、または隣接した他のセルに及ぼす干渉を減らすために動的／半静的にオン／オフ（ｏｎ／ｏｆｆ）されることができる。即ち、セルの状態がオン／オフのうちいずれか一つとして動作することができる。一般的に、マクロセルは、大規模の基地局が提供するセルであって、カバレッジが広い。それに対し、スモールセルは、ＲＲＨ（ｒｅｍｏｔｅ  ｒａｄｉｏ  ｈｅａｄ）、フェムト基地局（ｆｅｍｔｏ  ｂａｓｅ  ｓｔａｔｉｏｎ）などのように小規模の基地局が提供するセルであって、カバレッジが狭い。マクロセルとスモールセルは、互いに異なる周波数帯域で構成されたセルである。
【０１１６】
図８の端末にマクロセルとスモールセル＃２がアグリゲーションされて提供される場合、これは互いに異なるサイトに存在するセルがアグリゲーションされて提供されると表現することができる。この場合、端末立場では、従来のキャリアアグリゲーションと同様に、２個の互いに異なる周波数帯域（コンポーネントキャリア）が割り当てられる結果になる。しかし、従来のキャリアアグリゲーションでは、前記２個の周波数帯域が同じ基地局により提供されたが、それに対し、互いに異なるサイトに存在するセルのアグリゲーションでは、前記２個の周波数帯域が互いに異なる基地局により提供されるという点が異なる。
【０１１７】
スモールセルは、単独に端末に割り当てられることもでき、この場合、プライマリセルとして動作することができる。または、スモールセルは、マクロセルとアグリゲーションされて端末に割り当てられることができ、この場合、マクロセルはプライマリセルとして動作し、スモールセルはセカンダリセルとして動作することができる。ただし、従来のキャリアアグリゲーションでは、ＰＵＣＣＨがプライマリセルにのみ送信されるという制約があったが、本発明では必ずこれに制限されるものではない。即ち、セカンダリセルとして動作するスモールセルを介しても、端末はＰＵＣＣＨを送信することができる。
【０１１８】
以下、セルアグリゲーションは、互いに異なるサイトに存在するセルのアグリゲーションを意味する。
【０１１９】
セルアグリゲーションに使われるスモールセルは、各端末に一つのみ設定され、または複数設定されることができる。スモールセルは、ＲＲＣのような上位階層信号により設定されることができる。
【０１２０】
スモールセルとマクロセルは、有線／無線で連結されることができ、スモールセルは、マクロセルにより制御されることができる。互いに異なるサイトに存在するマクロセルとスモールセルまたはスモールセル間には制御情報伝達遅延が発生できる。したがって、各サイトに位置したセルは、各々、スケジューリングを実行することができる。
【０１２１】
以下、スモールセルの動的状態変化を指示する方法及びこのような方法を適用する場合の端末の動作方法を説明する。
【０１２２】
Ｉ．セル状態信号
【０１２３】
セル状態信号は、スモールセルが状態を変更することを端末に知らせる信号であり、具体的に下記の情報のうち少なくとも一つを含むことができる。
【０１２４】
１．  スモールセルの状態変化を示す情報
【０１２５】
例えば、スモールセルはオフ状態からオン状態に変更またはオン状態からオフ状態に変更することを示す情報をセル状態信号に含むことができる。または、セル状態信号の構成を単純化するためにオン状態からオフ状態に変更することを示す情報のみを含むこともできる。
【０１２６】
セル状態信号は、スモールセルの状態変更を適用する時点、適用する時間区間に対する情報などの時間関連情報も含むことができる。端末は、スモールセルからセル状態信号を受信した後、前記時間関連情報に基づいて前記スモールセルの状態変更を適用することができる。例えば、スモールセルがオフ状態に変更されることを示す情報及び前記オフ状態がシステムフレーム番号ＮからＭまで適用されることを示す時間関連情報を含むセル状態信号を受信した場合、端末は、システムフレームＮからＭまで前記スモールセルがオフ状態になることを仮定して動作する。
【０１２７】
時間関連情報は、端末のハンドオーバ区間または遅延要求信号を送信することができる区間を追加的に知らせることもできる。ハンドオーバ区間は、端末がセル状態信号を受信した後、ハンドオーバを適用するまでの時間区間を示すことができる。そして、遅延要求区間は、スモールセルの状態変更を保留することを要求する遅延要求信号を端末が送信できる時間区間である。
【０１２８】
セル状態信号がスモールセルのオン状態への変更を示す方法は、直接的に前記スモールセルがオン状態になることを知らせ、または間接的に前記スモールセルのオフ状態を取り消すことを知らせる方式に実行されることができる。セル状態信号がスモールセルのオフ状態への変更を示す方法も、直接的に前記スモールセルがオフ状態になることを知らせ、または間接的にマクロセルへのハンドオーバを命令し、またはオフ状態への変更を遅延することを要求する遅延要求信号を受けるための待機状態であることを知らせる方式に実行されることができる。
【０１２９】
２．セル状態信号は、セルのデータ負荷量（軽負荷（ｌｉｇｈｔ  ｌｏａｄｉｎｇ）、重負荷（ｈｅａｖｙ  ｌｏａｄｉｎｇ））、リンク品質、送信電力大きさなどの情報を含むことができる。このような情報により、端末が選好し、または良いリンク品質のセルを検出してマクロセルに報告することもできる。特定端末に対して多くのデータ量の送信が実行中の場合、前記特定端末に限ってセル状態変更を制限する情報も含むことができる。
【０１３０】
３．セル状態信号は、端末のハンドオーバ時の移動対象、即ち、ターゲットとするセルのＩＤ（ｉｄｅｎｔｉｆｉｅｒ）または搬送波インデックス（ｃａｒｒｉｅｒ  ｉｎｄｅｘ：ＣＩ）を知らせることができる。
【０１３１】
特定スモールセルがオン状態からオフ状態に変更する場合、前記特定スモールセルに連結されていた端末がどの隣接セルにハンドオーバをしなければならないかを前記特定スモールセルが知らせることができる。
【０１３２】
スモールセルは、端末に前記ターゲットセルに移動することを命令（移動命令）し、または複数のターゲットセルのＩＤを知らせると同時に、前記複数のターゲットセルのうち一つにハンドオーバすることを推薦（ｒｅｃｏｍｍｅｎｄ）することができる。セル状態信号に移動命令が含まれている場合、端末は、ターゲットセルにハンドオーバまたはセル変更を実行することができる。セル状態信号に推薦対象であるターゲットセルのＩＤが含まれている場合、端末は、前記推薦対象であるターゲットセルに対する測定を実行することで、特定ターゲットセルに移動を決定し、または前記測定の結果をリポートすることができる。
【０１３３】
４．セル状態信号は、ＰＵＣＣＨ送信セルを指定する情報を含むことができる。端末は、ＰＵＣＣＨ送信セルを介してＣＳＩ（ｃｈａｎｎｅｌ  ｓｔａｔｅ  ｉｎｆｏｒｍａｔｉｏｎ）、ＡＣＫ／ＮＡＣＫを送信することができる。
【０１３４】
５．セル状態信号は、オン状態からオフ状態に変更されるスモールセルに対して実行されたＨＡＲＱプロセスを継承するセルを指示する情報を含むこともできる。
【０１３５】
ＩＩ．セル状態信号のシグナリング方法
【０１３６】
１．スモールセルからマクロセルへのシグナリング
【０１３７】
無線通信システム内でスモールセルの設定／ハンドオーバ／セカンダリセルへの適用などは、マクロセルにより制御されることができる。スモールセルでのオン／オフ状態決定時、マクロセルへのシグナリングを介してスモールセルの状態変更をマクロセルに知らせる必要がある。スモールセルは、バックホールリンクを介してマクロセルに自分の状態変化を報告することができる。
【０１３８】
スモールセルからセル状態変化の報告を受けたマクロセルは、該当スモールセルを介してサービスを受けている端末にこのようなセル状態変化をシグナリングすることができる。
【０１３９】
スモールセルがマクロセルに対するセカンダリセルとして使われずに単独に使われる場合、前記スモールセルのオン／オフ状態変化は頻繁でない。
【０１４０】
２．スモールセルから端末へのシグナリング
【０１４１】
スモールセルは、セル状態が変更される場合、これを直接的／間接的に端末に知らせることで、端末が前記スモールセルのセル状態によるリソース占有／解除を実行するようにすることができる。即ち、スモールセルは、前記セル状態信号を端末にシグナリングすることができる。このとき、どのような方法を利用するかを以下で具体的に説明する。
【０１４２】
１）セル状態信号は、ブロードキャスト（ｂｒｏａｄｃａｓｔ）されることができる。例えば、ＭＩＢ（ｍａｓｔｅｒ  ｉｎｆｏｒｍａｔｉｏｎ  ｂｌｏｃｋ）、ＳＩＢ（ｓｙｓｔｅｍ  ｉｎｆｏｒｍａｔｉｏｎ  ｂｌｏｃｋ）にセル状態信号を含んで送信することができる。しかし、ＭＩＢ、ＳＩＢを介してセル状態信号をシグナリングすることは、ＭＩＢ、ＳＩＢの更新周期がながくて非効率的である。
【０１４３】
２）セル状態信号は、物理階層（ｌａｙｅｒ１：Ｌ１）信号を介して送信されることができる。
【０１４４】
このとき、下記の二つの方法のうち一つが利用されることができる。
【０１４５】
第１の方法は、セル状態信号を伝達する用途の新しいＲＮＴＩ（ｒａｄｉｏ  ｎｅｔｗｏｒｋ  ｔｅｍｐｏｒａｒｙ  ｉｄｅｎｔｉｆｉｅｒ）でマスキングされたＤＣＩを介してセル状態信号を送信する方法である。ＤＣＩは、ＰＤＣＣＨを介して送信されることができる。前記新しいＲＮＴＩをセル状態ＲＮＴＩ（ｃｅｌｌ−ｓｔａｔｅ  ＲＮＴＩ）という。セル状態ＲＮＴＩがマスキングされたＤＣＩは、セル状態ＲＮＴＩがマスキングされるＣＲＣ（ｃｙｃｌｉｃ  ｒｅｄｕｎｄａｎｃｙ  ｃｈｅｃｋ）部分を除外したフィールド領域を活用してセル状態信号の情報を送信することができる。
【０１４６】
セル状態ＲＮＴＩでマスキングされたＤＣＩは、共用検索空間（ＣＳＳ）に送信されることができる。ＥＰＤＣＣＨ（ｅｎｈａｎｃｅｄ  ＰＤＣＣＨ）を使用する場合のようにＣＳＳ領域がない場合、分散タイプのＥＰＤＣＣＨ集合を使用することができる。ＥＰＤＣＣＨは、ＰＤＳＣＨ領域内に追加される制御チャネルである。
【０１４７】
セル状態ＲＮＴＩがマスキングされたＤＣＩは、既存ＤＣＩフォーマット１Ｃ／１Ａと同じ長さを使用することができる。既存ＣＳＳでは、ＤＣＩフォーマット１Ｃ／１Ａが送信され、セル状態ＲＮＴＩがマスキングされたＤＣＩをＣＳＳで送信するようになると、‘既存ＤＣＩフォーマットと同じ長さでＲＮＴＩのみ変わったＤＣＩ’が追加される結果になって端末のブラインドデコーディング回数の増加を避けることができる。
【０１４８】
一方、端末特定検索空間（ｕｓｅｒ−ｓｐｅｃｉｆｉｃ  ｓｅａｒｃｈ  ｓｐａｃｅ：ＵＳＳ）では、送信モード（ｔｒａｎｓｍｉｓｓｉｏｎ  ｍｏｄｅ）に関係なくＤＣＩフォーマット１Ａは送信されることができる。したがって、セル状態ＲＮＴＩがマスキングされたＤＣＩをＵＳＳを介して送信する場合は、ＤＣＩフォーマット１Ａと同じ長さに送信できる。その場合、ＤＣＩフォーマット１Ａと同じ長さを有してＲＮＴＩのみ異なるＤＣＩが追加される結果になるため、端末のブラインドデコーディング回数の増加を避けることができる。
【０１４９】
一方、セル状態ＲＮＴＩがマスキングされたＤＣＩを各送信モードで送信されることができる特有のＤＣＩフォーマットの長さに合わせて送信する場合、送信モードによって異なる長さになり、これは送信モード設定にエラーが発生したとき、デコーディングに問題がある。
【０１５０】
一方、セル状態信号が示す情報がスモールセルのオン／オフ状態のように単純な場合、シグナリングの効率性のためにシグナルの長さを最小化して送信することが好ましい。
【０１５１】
そのための一つの方法は、セル状態信号として‘セル状態ＲＮＴＩのみで構成されたＤＣＩ’を使用するものである。この場合、既存ＤＣＩフォーマットとは異なる長さのＤＣＩが生成され、ブラインドデコーディングの回数が増加できる。このようなブラインドデコーディング回数の増加を防止するために、端末は、特定サブフレームでのみ前記セル状態ＲＮＴＩのみで構成されたＤＣＩを検出するように制限されることができる。例えば、サブフレーム＃０、５やＰＳＳ（ｐｒｉｍａｒｙ  ｓｙｎｃｈｒｏｎｉｚａｔｉｏｎ  ｓｉｇｎａｌ）／ＳＳＳ（ｓｅｃｏｎｄａｒｙ  ｓｙｎｃｈｒｏｎｉｚａｔｉｏｎ  ｓｉｇｎａｌ）を送信するサブフレーム、ディスカバリー（ｄｉｓｃｏｖｅｒｙ）信号を送信するサブフレーム／ＭＩＢを送信するサブフレームなどに限定できる。
【０１５２】
または、端末のブラインドデコーディング回数の増加を防止するために、セル状態ＲＮＴＩのみで構成されたＤＣＩが送信されるサブフレームでは、ブラインドデコーディングの対象となるＤＣＩの種類の数を減らすことができる。
【０１５３】
一方、セル状態ＲＮＴＩのような新しいＲＮＴＩでマスキングされたＤＣＩは、ページング信号が送信される周期に合わせて送信されることができる。ＲＲＣ＿ＩＤＬＥ状態である端末は、ページング信号の受信のためにアウェイクするため、このような端末のために新しいＲＮＴＩでマスキングされたＤＣＩは、ページング信号の送信周期に合わせて送信できる。
【０１５４】
第２の方法は、既存のＲＮＴＩ（ｐａｇｉｎｇ−ＲＮＴＩ、ｒａｎｄｏｍ  ａｃｃｅｓｓ−ＲＮＴＩ、ｓｙｓｔｅｍ  ｉｎｆｏｒｍａｔｉｏｎ−ＲＮＴＩなど）でマスキングされたＤＣＩを使用し、ＤＣＩの特定フィールドの組合せを介してセル状態信号を送信する方法である。即ち、ＣＳＳに送信されるＤＣＩフォーマットで使用しないフィールド組合せを活用する。
【０１５５】
例えば、ＤＣＩフォーマット１ＡでＨＡＲＱプロセス番号フィールド、ＤＡＩ（ｄｏｗｎｌｉｎｋ  ａｓｓｉｇｎｍｅｎｔ  ｉｎｄｅｘ）フィールドなどの組合せを利用してセル状態信号を示すことができる。または、ＤＣＩフォーマット１Ｃで使われない状態を活用することでセル状態信号を示すことができる。例えば、ＲＶ（ｒｅｄｕｎｄａｎｃｙ  ｖｅｒｓｉｏｎ）フィールドが特定値を有すると、ページングメッセージ、ＲＡＲ（ｒａｎｄｏｍ  ａｃｃｅｓｓ  ｒｅｓｐｏｎｓｅ）を受信することができない。このような特定値を利用してセル状態信号を示すことができる。
【０１５６】
３）セル状態信号は、ページングメッセージ（ｐａｇｉｎｇ  ｍｅｓｓａｇｅ）に含まれて送信されることができる。そのために、スモールセルのみのためのページングメッセージを別途構成することができる。または、別途のＰ−ＲＮＴＩを活用することができる。
【０１５７】
４）セル状態信号は、端末特定的シグナリングを介して送信されることができ、Ｌ１／Ｌ２シグナリングを介して送信されることができる。既存ＤＣＩフォーマットまたはＭＡＣ  ＣＥメッセージでフィールド／状態を組合せてセル状態信号を知らせることができる。
【０１５８】
ＩＩＩ．セル状態信号を受信した端末の動作
【０１５９】
１．端末は、セル状態信号を受信する場合、ハンドオーバ（ｈａｎｄｏｖｅｒ）を試みることができる。例えば、単独に存在するスモールセルからオフ状態に変更されることを示すセル状態信号を受信した場合、他のセルにハンドオーバを試みることができる。または、前記スモールセルがセカンダリセルとして動作するセルの場合、セカンダリセルを変更する動作を実行することができる。
【０１６０】
２．端末は、セル状態信号を受信する場合、セル状態変更を延期することを要求する遅延要求信号を送信することができる。
【０１６１】
図９は、セル状態信号を受信した端末の動作例を示す。
【０１６２】
図９を参照すると、スモールセルは、セル状態信号を端末に送信する（Ｓ１１０）。
【０１６３】
セル状態信号を受信した端末は、セル状態信号が前記スモールセルのオフ状態遷移を示す場合、前記スモールセルとの連結を維持する必要があるかどうかを判断する（Ｓ１２０）。
【０１６４】
前記スモールセルとの連結を維持する必要がある場合、端末は、遅延要求信号を前記スモールセルに送信する（Ｓ１３０）。遅延要求信号は、スモールセルに直接送信し、またはマクロセルに送信してスモールセルに伝達するようにすることができる。
【０１６５】
遅延要求信号は、例えば、端末がハンドオーバ試みを失敗し、または緊急データを送受信する必要がある場合、送信されることができる。即ち、遅延要求信号はスモールセルが任意にオフ状態になることによって、端末がサービスを必要とする状況でスモールセルとの連結が途絶えることを防止するための用途として使われることができる。
【０１６６】
端末は、特定無線リソースで信号を送信し、スモールセルは、前記特定無線リソースで信号が検出されると、遅延要求信号として認識することができる。即ち、遅延要求信号は、特定ビットフィールド値により認識されることではなく、指定された無線リソースでの信号検出可否により認識されることができる。遅延要求信号は、ＰＵＣＣＨチャネルを介して送信されることができる。
【０１６７】
３．端末は、セル状態信号を受信した場合、セル状態信号の受信成功／失敗確認を示すＡＣＫ／ＮＡＣＫをフィードバックすることができる。
【０１６８】
図１０は、セル状態信号を受信した端末の他の動作例を示す。
【０１６９】
スモールセルは、端末にセル状態信号を送信する（Ｓ２１０）。
【０１７０】
セル状態信号は、予め決められた周期に送信されることができる。このような周期は、ＲＲＣメッセージのような上位階層信号により予め設定されることができる。
【０１７１】
端末は、セル状態信号に対するＡＣＫ／ＮＡＣＫを送信することができる（Ｓ２２０）。
【０１７２】
端末が予め決められた周期にセル状態信号を受信することができない場合、またはセル状態信号を受信したが、デコーディングに失敗した場合、ＮＡＣＫをスモールセルに送信することができる。スモールセルは、ＮＡＣＫを受信した場合、セル状態信号を再送信することができる。
【０１７３】
全ての端末に対して別途にＡＣＫ／ＮＡＣＫリソースを割り当て、このようなＡＣＫ／ＮＡＣＫリソースを介して送信されたＡＣＫ／ＮＡＣＫをスモールセルが受信する場合は、予め明示的に割り当てられたリソースを介してセル状態信号を再送信することができる。また、セル状態信号を送信するサブフレームで他のデータチャネルの送信がある場合、セル状態信号に対するＡＣＫ／ＮＡＣＫ応答フィールドを追加することができる。
【０１７４】
各端末に別途のＡＣＫ／ＮＡＣＫリソースを割り当てることが非効率的な場合がある。例えば、端末の個数があまり多い場合、このような方法は非効率的である。したがって、スモールセルは、複数の端末に共通のリソースを割り当て、特定端末がセル状態信号を受信することができない場合、前記共通のリソースを介してＮＡＣＫを送信するようにすることができる。この場合、スモールセルは、前記共通のリソースでＮＡＣＫを検出すると、少なくとも一つの端末がセル状態信号を受信することができないことを認識することができる。
【０１７５】
端末がセル状態信号に対するＡＣＫ／ＮＡＣＫを送信するように設定されたサブフレームでセル状態信号でない他のデータ受信に対するＡＣＫ／ＮＡＣＫも送らなければならない場合、前記他のデータ受信に対するＡＣＫ／ＮＡＣＫはトラップすべきときがあるが、これは好ましくない。したがって、スモールセルがセル状態信号を送信するサブフレームでは、他のデータに対するダウンリンクスケジューリングを実行しないことが好ましい。
【０１７６】
端末は、セル状態信号が前記スモールセルのオフ状態遷移を指示して前記スモールセルとの連結を維持する必要がない場合、前記スモールセルへのアップリンクチャネル送信を中断する（Ｓ２３０）。これは不必要なリソース占有と隣接セルに干渉を及ぼすことを防止するために、オフ状態になるスモールセルへの信号送信を中断することである。この過程（Ｓ２３０）は、端末がセル状態信号を正確に受信した場合に実行されることができる。
【０１７７】
即ち、端末は、セル状態信号に基づいて前記スモールセルとの通信に必要な無線リソースの割当／解除を実行することができる。
【０１７８】
中断するアップリンクチャネルは、例えば、ＰＵＣＣＨ／ＰＵＳＣＨがある。端末は、このようなチャネルを介して送信したＣＳＩリポーティング、ＡＣＫ／ＮＡＣＫ送信を中断することができる。また、ＳＲＳ（ｓｏｕｎｄｉｎｇ  ｒｅｆｅｒｅｎｃｅ  ｓｉｇｎａｌ）送信、ＳＰＳ（ｓｅｍｉ−ｐｅｒｓｉｓｔｅｎｔ  ｓｃｈｅｄｕｌｉｎｇ）ＰＵＳＣＨ、ランダムアクセス過程による信号送信、セル測定結果送信などを中断することができる。
【０１７９】
ただ、スモールセルグループが形成され、該当スモールセルグループ内の他のスモールセルで前記アップリンクチャネルを継承する場合は、アップリンクチャネル送信を持続することができる。継承のソースセルとターゲットセルとの間の時間差が発生する場合、一部タイミング区間での送信は、中断された後に再開されることができる。
【０１８０】
一方、図１０には示していないが、セル状態信号を受信した端末は、セル状態信号を介して把握したスモールセルの状態変更をマクロセルに中継し、またはリポートすることもできる。
【０１８１】
例えば、特定スモールセルからオフ状態に変更またはオン状態に変更されることを示すセル状態信号を受信した場合、このような内容をマクロセルに報告することができる。また、端末は、前記特定スモールセルがオフ状態になる場合、ハンドオーバを実行すべきときがあるが、この場合、ターゲットとなるスモールセルに対する情報をマクロセルに知らせることもできる。
【０１８２】
ＩＶ．セル状態信号によるスモールセルの状態変更を適用するタイミング
【０１８３】
一般的に、送信端と受信端との間にはシグナリングの伝達遅延及び受信エラーが発生するようになる。したがって、スモールセルでのセル状態信号送信時点と端末での該当信号の受信完了時点または適用時点との間には遅延時間を適用する必要がある。
【０１８４】
スモールセルでのセル状態信号送信開始または終了時点とセル状態信号による端末の動作適用時点との間の遅延時間は、下記の方法のうち一つにより決定されることができる。
【０１８５】
１．ＲＲＣにより指示され、または予め決められた遅延時間を適用する方法
【０１８６】
例えば、スモールセルがオフ状態に遷移されることを示すセル状態信号をマクロセルにシグナリングすると同時に端末にシグナリングする場合、スモールセルと端末との間、スモールセルとマクロセルとの間の遅延のうち、大きい時間を基準にして前記遅延時間を設定することが好ましい。簡単な具現のために、ＲＲＣシグナリングを介してセル状態信号によるセル状態変更適用時点を知らせ、または予め余裕のある値を設定して適用することができる。
【０１８７】
２．端末が送信したＡＣＫ／ＮＡＣＫに基づいて遅延時間を決定する方法
【０１８８】
端末は、セル状態信号に対する受信確認であるＡＣＫ／ＮＡＣＫをフィードバックするよう設定されることができる。このとき、スモールセルは、ＡＣＫ／ＮＡＣＫに基づいて端末がセル状態信号による動作を適用可能かどうかを知ることができる。したがって、端末で送信したＡＣＫ／ＮＡＣＫをスモールセルが確認することができる時間を考慮して前記遅延時間を定めることができる。
【０１８９】
スモールセルと端末との間の同期化が重要な場合、この方法を適用することができる。例えば、Ｌ１／Ｌ２ハンドオーバ、ＵＬ−ＤＬ設定の適用、ＤＬサブフレームのＵＬサブフレームへの切り替え、ＰＵＣＣＨ送信セル変更、ＵＬチャネル送信中断適用タイミングなどである。
【０１９０】
Ｖ．端末のＡＣＫ／ＮＡＣＫ応答を考慮したセル状態変更適用タイミング
【０１９１】
端末がセル状態信号をエラーなしに受信したサブフレームをサブフレームｎとし、これによる動作を適用するサブフレームをｎ＋ｘと仮定する。
【０１９２】
端末がセル状態信号を含むＰＤＣＣＨ／ＰＤＳＣＨをエラーなしに受信し、これに対するＡＣＫ／ＮＡＣＫ応答の送信にかかる時間がサブフレームを単位とした時、ａ個のサブフレームが必要であり、ＡＣＫ／ＮＡＣＫ応答によってスモールセルが実際にセル状態を変更し、またはセル状態信号を再送信する時までかかる時間をサブフレーム単位とした時、ｂ個のサブフレームが必要であると仮定する。その場合、前記ｘはｘ＝ａ＋ｂになる。
【０１９３】
既存ＬＴＥ  ＤＬ  ＨＡＲＱプロセスタイミング関係では、ＦＤＤの場合、ａ＝４、ｂ＝４に設定される。
【０１９４】
しかし、端末がＡＣＫ／ＮＡＣＫを送信する時、ＡＣＫ／ＮＡＣＫ反復（ｒｅｐｅｔｉｔｉｏｎ）が使われることができる。ＡＣＫ／ＮＡＣＫ反復とは、ＡＣＫ／ＮＡＣＫが一つのサブフレームでのみ送信されることではなく、ＮＡＮＲｅｐ個（例えば、｛２，４，６｝のうち一つ）のサブフレームで繰り返して送信されることを意味する。ＡＣＫ／ＮＡＣＫ反復は、上位階層で与えられるパラメータ（“ａｃｋＮａｃｋＲｅｐｅｔｉｔｉｏｎ”）により設定されることができる。ＡＣＫ／ＮＡＣＫ反復が設定されると、端末は、ＮＡＮＲｅｐ個のサブフレームでＡＣＫ／ＮＡＣＫを送信し、ＮＡＮＲｅｐは、上位階層により設定されることができる。対応されるＰＤＣＣＨがないＰＤＳＣＨ送信に対しては上位階層により設定されるリソースを利用してＡＣＫ／ＮＡＣＫをＮＡＮＲｅｐ回繰り返して送信する。対応するＰＤＣＣＨがあるＰＤＳＣＨ送信またはＰＤＣＣＨ自体に対するＡＣＫ／ＮＡＣＫ送信は、前記ＰＤＣＣＨのＣＣＥインデックスから導出されるＰＵＣＣＨリソースを利用して１番目のＡＣＫ／ＮＡＣＫを送信し、残りのＮＡＮＲｅｐ−１回のＡＣＫ／ＮＡＣＫ送信は、上位階層により設定されるＰＵＣＣＨリソースを利用して実行される。
【０１９５】
即ち、ＡＣＫ／ＮＡＣＫ反復が適用される場合、ＡＣＫ／ＮＡＣＫが送信されるＵＬサブフレームの個数は、１からＮＡＮＲｅｐ個に増加するようになる。
【０１９６】
したがって、ＡＣＫ／ＮＡＣＫ応答の送信に使われるサブフレームが（ＮＡＮＲｅｐ−１）増加するようになって、前記ａ＝４＋（ＮＡＮＲｅｐ−１）＝ＮＡＮＲｅｐ＋３になる。したがって、前記ｘ＝ａ＋ｂ＝ＮＡＮＲｅｐ＋３＋４＝ＮＡＮＲｅｐ＋７になる。
【０１９７】
ａ値がＮＡＮＲｅｐによって変わることを避けるために、ＮＡＮＲｅｐの設定可能な値（これをＮＡＮＲｅｐ，ｃｏｎｆｉｇｕｒａｂｌｅで表すことができ、例えば、ＮＡＮＲｅｐ，ｃｏｎｆｉｇｕｒａｂｌｅ∈｛２，４，６｝）のうち、最大値（前記例では６）を利用してａを設定することができる。
【０１９８】
即ち、ｘ＝ａ＋ｂ＝ｍａｘ（ＮＡＮＲｅｐ，ｃｏｎｆｉｇｕｒａｂｌｅ）＋３＋４＝ｍａｘ（ＮＡＮＲｅｐ，ｃｏｎｆｉｇｕｒａｂｌｅ）＋７＝６＋７＝１３である。このようなｘ値は、ＡＣＫ／ＮＡＣＫ反復が適用された時のみ使われ、またはＡＣＫ／ＮＡＣＫ反復と関係なく使用することができる。
【０１９９】
一方、ＴＤＤの場合、ａは、以下の表のように定義されることができる。
【０２００】
【表３】
2016508687.tif 000005
【０２０１】
表３を参照すると、ＵＬ−ＤＬ設定０でサブフレーム２には６が記載されている。これはサブフレーム２を基準に６サブフレーム前であるサブフレーム６で受信したセル状態信号に対するＡＣＫ／ＮＡＣＫがサブフレーム２で送信されるという意味である。そして、ｂ＝４に設定されることができる。
【０２０２】
以下の表は、セル状態信号を受信したサブフレームｎに対してＡＣＫ／ＮＡＣＫがいくつかのサブフレーム後に送信されるかを示す。
【０２０３】
【表４】
2016508687.tif 000006
【０２０４】
即ち、前記表４は、ＤＬサブフレームｎでセル状態信号を受信し、これに対応されるＡＣＫ／ＮＡＣＫをＵＬサブフレームｎ＋ｍで送信する場合、サブフレームｎ別にｍ値を定義（これをｍ（ｎ）と仮定する）したものである。
【０２０５】
したがって、ｘ＝ａ＋ｂ＝ｍ（ｎ）＋ｂ＝ｍ（ｎ）＋４になる。
【０２０６】
一般的に、ＡＣＫ／ＮＡＣＫ反復が使われる場合、ＡＣＫ／ＮＡＣＫが送信されるＵＬサブフレームの個数が１からＮＡＮＲｅｐに増加するようになる。したがって、ａは、ＮＡＮＲｅｐ−１個のＵＬサブフレームを追加に考慮して設定しなければならない。したがって、‘サブフレームｎ’から‘ｍ（ｎ）を含んでｍ（ｎ）からＮＡＮＲｅｐ個のＵＬサブフレーム送信を終了するようになるサブフレーム’まで必要とするサブフレームの個数をａに設定できる。または、ｍ（ｎ）と‘ｍ（ｎ）を除いてｍ（ｎ）からＮＡＮＲｅｐ個のＵＬサブフレーム送信を終了する時まで必要とするサブフレームの個数’の和をａに設定できる。
【０２０７】
例えば、ＮＡＮＲｅｐ＝４に設定され、ＵＬ−ＤＬ設定１のサブフレーム１（即ち、ｎ＝１）でスモールセルがＰＤＳＣＨを介してセル状態信号を送信し、これを端末がエラーなしに受信した時、これに対するＡＣＫ／ＮＡＣＫ応答はｍ（１）＝６であるため、ｎ＝７であるサブフレームから送信され始め、ＡＣＫ／ＮＡＣＫ反復により４個のＵＬサブフレームを使用するようになる。４個のＵＬサブフレームは、前記サブフレーム７を含んで６個のサブフレームで構成された区間に含まれる。したがって、ａ＝６＋６＝１２になり、ｘ＝１２＋４＝１６になる。
【０２０８】
このように、ＮＡＮＲｅｐ＝２、４、６の各々に対してＵＬ−ＤＬ設定別に各ＤＬサブフレームに対してａ値を求めると、以下の表の通りである。表５は、ＮＡＮＲｅｐ＝２に対するものであり、表６は、ＮＡＮＲｅｐ＝４に対するものであり、表７は、ＮＡＮＲｅｐ＝６に対するものである。
【０２０９】
【表５】
2016508687.tif 000007
【０２１０】
【表６】
2016508687.tif 000008
【０２１１】
【表７】
2016508687.tif 000009
【０２１２】
一方、ａ値がサブフレーム別に変わることは複雑度が大きい。複雑度を減らすために、各ＵＬ−ＤＬ設定内のサブフレーム別ａ値のうち最大値を求め、同じＵＬ−ＤＬ設定の全てのＤＬサブフレームに対するａ値として使用することもできる。例えば、ＮＡＮＲｅｐ＝４に設定され、ＵＬ−ＤＬ設定１の場合、前記表６のＵＬ−ＤＬ設定１のサブフレーム別ａ値のうち、最大値は１３になる。
【０２１３】
または、ＵＬ−ＤＬ設定別にａ値が変わる複雑度を減らすために、まず、ＵＬ−ＤＬ設定内のサブフレーム別ａ値のうち最大値を求めた後、各ＵＬ−ＤＬ設定別前記最大値のうち最も大きい値をａ値に設定することができる。例えば、ＮＡＮＲｅｐ＝４に設定される場合、前記表６の右側のＵＬ−ＤＬ設定別最大値は（１１，１３，２３，２１，２６，４３，１３）であり、このような最大値のうち、最も大きい値は４３であるため、ａ＝４３になる。
【０２１４】
一方、表７のＵＬ−ＤＬ設定０を見ると、ＤＬサブフレームに対応されないＵＬサブフレーム（即ち、ｎ＝３、８であるＵＬサブフレーム）が存在する。このようなＵＬサブフレームは、ＡＣＫ／ＮＡＣＫ反復から除外されることができる。
【０２１５】
一方、セル状態信号が送信されるセルとこれに対するＡＣＫ／ＮＡＣＫ応答が送信されるセルのＵＬ−ＤＬ設定が互いに異なる場合がある。例えば、互いに異なるＵＬ−ＤＬ設定が使われるセルがアグリゲーションされた場合またはＴＤＤフレームとＦＤＤフレームを使用するセルがアグリゲーションされた場合がこれに該当する。このとき、ｍ（ｎ）は、セルアグリゲーションの組合せによって決定される規則に従う。
【０２１６】
図１１は、本発明の実施例が具現される無線機器を示すブロック図である。
【０２１７】
基地局１００は、プロセッサ（ｐｒｏｃｅｓｓｏｒ）１１０、メモリ（ｍｅｍｏｒｙ）１２０及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／または方法を具現する。例えば、プロセッサ１１０は、セル状態信号を生成して端末に送信できる。セル状態信号は、前記基地局１００のオン／オフ状態への切り替えを示す情報を含むことができる。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。基地局１００は、前述したスモールセルまたはマクロセルを提供する基地局である。
【０２１８】
端末２００は、プロセッサ２１０、メモリ２２０及びＲＦ部２３０を含む。プロセッサ２１０は、提案された機能、過程及び／または方法を具現する。例えば、プロセッサ２１０は、スモールセルからセル状態信号を受信し、セル状態信号に基づいて前記スモールセルとの通信を実行する。セル状態信号が前記スモールセルのオフ状態への切り替え（遷移）を指示する場合、遅延要求信号を送信することができる。セル状態信号に対するＡＣＫ／ＮＡＣＫを送信することができる。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【０２１９】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段によりプロセッサ１１０、２１０と連結されることができる。
【図１】
2016508687.tif 000010
【図２】
2016508687.tif 000011
【図３】
2016508687.tif 000012
【図４】
2016508687.tif 000013
【図５】
2016508687.tif 000014
【図６】
2016508687.tif 000015
【図７】
2016508687.tif 000016
【図８】
2016508687.tif 000017
【図９】
2016508687.tif 000018
【図１０】
2016508687.tif 000019
【図１１】
2016508687.tif 000020
【国際調査報告】
2016508687.tif 000021
2016508687.tif 000022
2016508687.tif 000023
2016508687.tif 000024